(57)【要約】      （修正有）【課題】新規性と楽しさとを併せ持った玩具飴分配用トングを提供する。【解決手段】照射トング４は一対のアーム部材６,８を有し、当該一対のアーム部材は、相対運動して半透明の菓子部材２といった物体を把持できるようヒンジ留めされた端部において接合されており、スプリングはバッテリコンパートメントに設置され、トングを開き位置に付勢する。光源は、一方のアームの内部の把持端部１２に隣接する形で隠されている。把持端部が移動されて菓子部材を把持すると、バッテリコンパートメントに連結されたスイッチ部材は自動的に閉じ合わされ、それにより、菓子部材が内面から発光する。【選択図】図１
2006326302.tif 000002
【特許請求の範囲】
【請求項１】
玩具飴分配用組み立て品であって、
ほぼ半透明の菓子部材と、
選択的に閉じる把持部分を有する照射／把持装置とを有し、前記把持部分のサイズは菓子部材を固定するよう作られており、
把持装置は光源を有し、当該光源により、菓子部材は把持部分で固定された際に照らされ、前記菓子部材は前記把持部分において光る、とされること、
を特徴とする組み立て品。
【請求項２】
照射／把持装置は、相対運動して菓子部材を把持部分で把持できるよう、ヒンジ留めされた端部において接合された一対のアーム部材と、
少なくとも一方のアーム部材に接続されたバッテリコンパートメントと、
把持部分が移動され、菓子部材が把持された際に、バッテリコンパートメントから光源への電気接続を可能とするスイッチ部材と、を有すること、
を特徴とする請求項１に記載の玩具飴分配用組み立て品。
【請求項３】
光源は発光ダイオードであること、
を特徴とする請求項１に記載の玩具飴分配用組み立て品。
【請求項４】
アーム部材は中空であること、
を特徴とする請求項１に記載の玩具飴分配用組み立て品。
【請求項５】
アーム部材はプラスチックであること、
を特徴とする請求項４に記載の玩具飴分配用組み立て品。
【請求項６】
アーム部材はそれぞれ、凹んだ顎部を備えた把持端部を有すること、
を特徴とする請求項４に記載の玩具飴分配用組み立て品。
【請求項７】
光源は、凹んだ顎部のうち一方に隣接した形で中空のアーム部材の内部に置かれ、前記凹んだ顎部と菓子部材との接触面を照らすこと、  
を特徴とする請求項６に記載の玩具飴分配用組み立て品。
【請求項８】
バッテリコンパートメントはスプリングユニットを有し、当該スプリングユニットは、一対のアーム部材を開き位置の方へ付勢すること、
を特徴とする請求項１に記載の玩具飴分配用組み立て品。
【請求項９】
ヒンジ留めされた端部は把持端部の遠位端にある傾斜面とピボット軸とを有し、把持端部の開き範囲を規定すること、
を特徴とする請求項８に記載の玩具飴分配用組み立て品。
【請求項１０】
照射トングであって、
相対運動して菓子部材を把持部分で把持できるよう、ヒンジ留めされた端部において接合された一対のアーム部材と、
バッテリコンパートメントに設置され、把持端部においてアーム部材を開き位置に付勢するスプリング部材と、
少なくとも１つのアーム部材に接続され、把持端部を照らす光源と、
把持端部が移動させられて物体を把持する際に、バッテリコンパートメントから光源への電気接続を可能にするスイッチ部材と、を有すること、  
を特徴とするトング。
【請求項１１】
光源は、把持端部に隣接した位置で、中空のアーム部材の内部に入れられ、把持端部と物体との接触面を内部から照らすこと、
を特徴とする請求項１０に記載の照射トング。
【請求項１２】
アーム部材同士はヒンジ留めされた端部部分において接合され、前記端部部分は把持端部の遠位端にある傾斜面とピボット軸とを有し、把持端部の開き範囲を規定すること、
を特徴とする請求項１１に記載の照射トング。
【発明の詳細な説明】
【技術分野】
【０００１】
本発明は、菓子商品を分配するための新規商品、さらに具体的に言えば、把持装置であって、半透明性の菓子商品を把持するよう形作られ、その菓子商品は把持装置で保持すると光るように見える、という装置に関する。
【背景技術】
【０００２】
グミ飴またはさまざまに型取りされた飴形など、目新しさのある菓子商品は長年公知で、あらゆる年齢の子供たちに市販されている。従来技術においては、菓子商品を楽しむことだけでなく、遊び心のある玩具特性を付け加えることへの可能性もまた探られてきた。
目新しさのある玩具飴分配用装置は菓子商品（たとえば、飴玉やソフトキャンディー）に今まで利用されてきたが、新規性と楽しさとを併せもった装置を子供たちに提供したい、という要求は絶えない。
【発明の開示】
【発明が解決しようとする課題】
【０００３】
本発明は、菓子部材のサイズ分を照らし、そのサイズに合うよう形作られた把持装置を備えた玩具飴分配用組み立て品を提供する。トングとして使用される把持装置により菓子に光が透過するよう、菓子部材は、ほぼ半透明性または透明性とすることができる。好ましい構成として、菓子は、光の透過および／あるいは放射を引き立てる擬似的な形に形成または成形することができる。たとえば、本発明では、思いがけない所から光を浴びて光るツチホタルの形のグミを利用することができる。
【０００４】
把持装置（たとえば、トング）は隠し光源を有し、この隠し光源により、菓子部材をトングの把持部で掴むとその菓子部材は照らされて光っているように見える、とすることができる。好ましい構成として、トングが菓子商品と接触し、これを固定する際に意外な効果が出るよう、光源は、たとえばトングの一方のアームの内部に隠されている。このことにより、菓子商品は、トングで掴まれると楽しく思いがけない形で光るように見える、とすることができる。したがって、虫に似た形または他の形状の生物、あるいは物体の形をし、半透明の素材で作られた菓子商品は、トングからの光を受けてそれを分散し、結果、前記菓子商品の本体は光り、それ自体で発光しているように見える。
【０００５】
トングは１対のアーム部材を有し、アーム部材同士はヒンジ留めされた端部において接合されており、相対運動によって菓子商品を把持できる。バッテリから隠しスイッチ部材を通ってアーム部材の把持端部に隣接した光源まで電気接続が延びている、という形で、１つまたは複数のバッテリを保持するバッテリコンパートメントを１本または複数のアームに形成してもよい。光源には小型の発光ダイオード（LED）が使用できるが、他の（光源）ソースを使ってもよい。物体がトングの顎部の内側に把持されると照らされるように前記発光ダイオード（LED）はトングの顎部のすぐ隣に置いてもよい。
【発明を実施するための最良の形態】
【０００６】
新規性があると思われる本発明の目的および特徴については、添付の特許請求の範囲において詳細に述べる。本発明の構成と動作様態との両方、さらにそれと共に目的と効果とについては、添付図面に関連づけながら、以下の説明を参照すればよく理解されるであろう。
以下、本発明を実施するため考えられた最良の様態を示す本発明の好ましい実施の形態について詳細に参照するが、これらの例は添付図面において示されている。本発明は、好ましい実施の形態と関連づけて説明されているが、理解できるように、これらの実施の形態は本発明を限定するためのものではない。それどころか逆に、本発明は、添付の特許請求の範囲によって定められた本発明の主旨および範囲の中に含まれる代替例、変形、そして同等の発明を含む。さらに、本発明に関する以下の詳細な説明において、本発明について完全に理解できるよう数多くの特定の詳細が示されている。しかし、当業者には明らかであろうが、本発明はこれらの特定の詳細を持たない形で実施することもできる。それ以外では、公知の方法、手順、構成部品、そして回路については、本発明の様相を不必要にわかりにくくしないためにも詳細には説明していない。
【０００７】
図１を参照する。図では、菓子部材２のボウルが示されている。好ましい構成として、菓子部材は光の放射を連想できる生物または物体（たとえば、図１および２に示すツチホタル）の擬態を呈するよう成形することができる。菓子部材は、光が当たり始めると光パイプとして働くよう透明性または半透明性とするのが良い。理解できるように、菓子部材２は、最終的に出来上がったものが半透明で、光っているように見えるようにすることができれば、他の成分から形成することもできる。菓子製品の長さおよび／あるいはサイズと光源の強さとは光り具合に影響を与える。好ましいツチホタルまたは発光性の虫の長さは約１インチで、その長さであれば製品全部が光っているように見える。菓子部材２は、成形可能な粘性のある飴原料（たとえば、砂糖、コーンシロップ、ゼラチン、ソルビトール、クエン酸、ペクチン、リンゴ酸、蜜ろう、人口香料、乳酸、そして合成着色料の固形混合物）から形成することができる。
【０００８】
トング４などの把持装置は、図２に示すように、菓子部材２を１つ１つ選び取るために用いられる。把持装置４は、基本的には低コストなプラスチック材料で形成することができるが、他のタイプの材料を利用してもよい。トング４は第１のアーム部材６と第２のアーム部材８とを有し、各アームの端部にはそれぞれ、ほぼU字型の形の断面を有する顎部または把持部が備えられている。すなわち、第１のアーム部材６は顎形１０を有し、顎１０の各壁には半円の横方向インデントが備えられている。第２の側面アーム部材８の片方の端部にも同様の顎形１２が設けられている。
【０００９】
それぞれのアーム部材６、８のもう一方の端部にはバッテリ室１４が、アーム部材６の第１のバッテリハウジング１６と、アーム部材８の第２のバッテリハウジング１８とから形成されている。第１のバッテリハウジング１６と第２のバッテリハウジング１８とは円筒口の形で、それぞれのアーム部材と共に一体化された形で成形することができる。ヒンジ留めされた端部部分２０は、顎１０、１２の遠位端に配置される。ピボット軸２２はロッド２４を有し、当該ロッド２４は、第１のアーム部材６に一体化された形で設けられた適当な取り付け位置２６と第２のアーム部材８に一体化された形で設けられた適当な取り付け部分２８とにある穴を通る形で挿入されている（図４参照）。
【００１０】
ヒンジ留めされた端部部分２０の傾斜した接触面３０、３２は、取り付け部分２６、２８からそれぞれ延びて、図３に示すような顎部１０、１２の開きの範囲または限界を規定している。
図４を参照する。ここには、トング４の分解図が示されている。下側バッテリハウジング１８は、一対のバッテリ３６を収容するための円筒形の壁３４を有する。隠しスイッチ３８が、導電性の金属リング４０と一対の導線４２、４４とにより、バッテリハウジングの内部およびその一部分に形成されており、前記導電性の金属リング４０と一対の導線４２、４４とは、下側顎部１２に隣接して置かれたLED４６などの光源に接続されている。光源には他のものを使ってもよい。スプリング４８により、バッテリ３６同士が寄せ合わされ、同時に、トング４は傾いた開き位置（図３に示す）に合わせられる。さらに、トング４が閉じられると、隠しスイッチ３８は自動的に閉じ合わされて光源４６が光り、把持されたどの物体も照らし出される。
【００１１】
第２のアーム部材８の光源４６を隠し、保護するため、細長いカバープレート４８が、U字型の穴を通る形で延びている。
動作中、ユーザは所望の菓子製品２を顎部１０、１２に把持し、トング４をスプリング４８の力に逆らう形で閉じる。光源４８が下側または第２のアーム部材８の内部で作動すると、光は菓子製品２に入り込み、予期せぬ光効果を生み出す。好ましい構成として、菓子製品２は光効果を高めるよう、たとえばツチホタルの形に作られている。
当業者であれば理解できるように、ここまで説明してきた好ましい実施の形態には、本発明の範囲と趣旨とを逸脱しない形でさまざまな改変または変形を加えることができる。したがって、補正された特許請求の範囲内であれば、本発明は当明細書で具体的に説明してきた以外の方法で実施することができる。
【図面の簡単な説明】
【００１２】
【図１】照射／把持装置と適当に成形された菓子部材とを有する玩具飴分配用の組み立て品の斜視図である。
【図２】把持装置が菓子部材をはさみ、その菓子部材を光らせている様子を示す斜視図である。
【図３】本発明の把持装置またはトングの上側斜視図である。
【図４】把持装置の部分的な分解側面図である。
【図５】アームの平面図である。
【図６】別のアームの平面図である。
【図１】
2006326302.tif 000003
【図２】
2006326302.tif 000004
【図３】
2006326302.tif 000005
【図４】
2006326302.tif 000006
【図５】
2006326302.tif 000007
【図６】
2006326302.tif 000008
【外国語明細書】
2006326302.tif 000009
2006326302.tif 000010
2006326302.tif 000011
2006326302.tif 000012
2006326302.tif 000013
2006326302.tif 000014
2006326302.tif 000015
2006326302.tif 000016
2006326302.tif 000017
2006326302.tif 000018